(57)【特許請求の範囲】
【請求項１】
非対称帯域幅の割り当て方法であって、
進化型基地局（ｅＮＢ）は、アップリンク（ＵＬ）仮想帯域幅の範囲を確定し、ＵＬ実際帯域幅の範囲と前記ＵＬ仮想帯域幅の範囲との差に応じて、対応するアップリンク物理リソースを構成することを含み、
対応するアップリンク物理リソースを構成することは、ＵＬ仮想帯域幅の範囲内にあり且つＵＬ実際帯域幅の範囲内にないスペクトルリソースをシステム物理アップリンク制御チャネル（ＰＵＣＣＨ）リソースの一部とし、前記スペクトルリソースに対応するすべてのリソースブロック（ＲＢ）インデックスを仮想ユーザー装置（ＵＥ）に割り当て、実際のユーザーが前記リソースを利用しないことを確保することである、
方法。
【請求項２】
指定されるＵＬ実際帯域幅、ＵＬ実際帯域のスタートストップ位置に応じて、前記ＵＬ仮想帯域幅の範囲を確定し、
前記ｅＮＢは、前記指定されるＵＬ実際帯域幅とＵＬ実際帯域のスタートストップ位置に応じて、ＵＬ帯域幅の中心キャリア周波数を確定し、前記ｅＮＢは、さらに、指定されるダウンリンク（ＤＬ）帯域幅と前記ＵＬ帯域幅の中心キャリア周波数に応じて、前記ＵＬ仮想帯域幅の範囲を確定する
請求項１に記載の方法。
【請求項３】
前記ＵＬ仮想帯域幅の範囲の上限値は、中心キャリア周波数にＤＬ帯域幅の半分を加算した値であり、前記ＵＬ仮想帯域幅の範囲の下限値は、中心キャリア周波数からＤＬ帯域幅の半分を減算した値である
請求項２に記載の方法。
【請求項４】
前記対応するアップリンク物理リソースを構成することは、
前記ｅＮＢが、物理ランダムアクセスチャネル（ＰＲＡＣＨ）及びサウンディング基準信号（ＳＲＳ）を構成することである
請求項３に記載の方法。
【請求項５】
前記ＵＬ仮想帯域幅の範囲は直接に指定された範囲であり、前記ｅＮＢは、前記直接に指定されたＵＬ仮想帯域幅の範囲とＵＬ実際帯域幅の範囲との差に応じて、物理アップリンク制御チャネル（ＰＵＣＣＨ）、物理ランダムアクセスチャネル（ＰＲＡＣＨ）及びサウンディング基準信号（ＳＲＳ）を構成する
請求項１に記載の方法。
【請求項６】
前記ＰＲＡＣＨ及びＳＲＳを構成することは、
ＳＲＳ、ＰＲＡＣＨにより占められるＲＢがＵＬ実際帯域幅の範囲を超えないように構成することである
請求項４に記載の方法。
【請求項７】
非対称帯域幅の割り当て装置であって、
アップリンク（ＵＬ）仮想帯域幅の範囲を確定するように構成されるパラメータ確定モジュールと、
ＵＬ実際帯域幅の範囲と前記ＵＬ仮想帯域幅の範囲との差に応じて、対応するアップリンク物理リソースを構成するように構成される構成モジュールとを備え、
前記構成モジュールは、物理アップリンク制御チャネル（ＰＵＣＣＨ）設定モジュールを含み、
前記ＰＵＣＣＨ設定モジュールは、仮想帯域幅の範囲内にあり且つ実際帯域幅の範囲内にないスペクトルリソースをシステムＰＵＣＣＨリソースの一部とし、前記スペクトルリソースに対応するすべてのリソースブロック（ＲＢ）インデックスを仮想ユーザー装置（ＵＥ）に割り当て、実際のユーザーが前記リソースを利用しないことを確保するように構成される、
装置。
【請求項８】
前記パラメータ確定モジュールは、直接に指定されるＵＬ仮想帯域幅の範囲に応じて、又は指定されるＵＬ実際帯域幅、ＵＬ実際帯域のスタートストップ位置に応じて、ＵＬ仮想帯域幅の範囲を確定するように構成され、ここで、ＵＬ実際帯域幅、ＵＬ実際帯域のスタートストップ位置及びダウンリンク（ＤＬ）帯域幅が指定される場合、前記パラメータ確定モジュールは、初期化モジュール、中心キャリア周波数確定モジュール及びＵＬ仮想帯域幅確定モジュールを含み、ここで、
前記初期化モジュールは、ＤＬ帯域幅、ＵＬ実際帯域幅及びＵＬ実際帯域のスタートストップ位置を初期化するように構成され、
前記中心キャリア周波数確定モジュールは、前記ＵＬ実際帯域のスタートストップ位置に応じて、ＵＬ帯域幅の中心キャリア周波数を確定するように構成され、
前記ＵＬ仮想帯域幅確定モジュールは、前記ＤＬ帯域幅と前記ＵＬ帯域幅の中心キャリア周波数に応じて、ＵＬ仮想帯域幅の範囲を確定するように構成される
請求項７に記載の装置。
【請求項９】
前記構成モジュールは、
物理ランダムアクセスチャネル（ＰＲＡＣＨ）に割り当てるリソースを制限し、ＰＲＡＣＨにより占められるＲＢがＵＬ実際帯域幅の範囲を超えないように構成されるＰＲＡＣＨリソース制限モジュールと、
サウンディング基準信号（ＳＲＳ）に割り当てるリソースを制限し、ＳＲＳにより占められるＲＢがＵＬ実際帯域幅の範囲を超えないように構成されるＳＲＳリソース制限モジュールとを備える
請求項８に記載の装置。
【請求項１０】
進化型基地局（ｅＮＢ）であって、
請求項７〜９のいずれか１項に記載の非対称帯域幅の割り当て装置を含む、ｅＮＢ。
【請求項１１】
コンピュータ記憶媒体であって、
請求項１〜６のいずれか１項に記載の非対称帯域幅の割り当て方法を実行するためのコンピュータプログラムを記憶している、コンピュータ記憶媒体。
【発明の詳細な説明】
【技術分野】
【０００１】
本発明は通信システムにおける帯域幅の割り当て技術に関し、特に非対称帯域幅の割り当て方法、装置、進化型基地局（ｅＮＢ：ｅｖｏｌｖｅｄ  Ｎｏｄｅ  Ｂ）及びコンピュータ記憶媒体に関する。
【背景技術】
【０００２】
現在、無線広帯域の通信技術の発展に伴い、無線スペクトルリソースの制限が日々鮮明になり、利用可能な無線スペクトルリソースがますます珍しくなった。
【０００３】
無線通信システムにおいて、時分割複信（ＴＤＤ：Ｔｉｍｅ  Ｄｉｖｉｓｉｏｎ  Ｄｕｐｌｅｘ）システムは柔軟な帯域幅を有するが、主流の機器業者の投資が不足なので、ＴＤＤ端末製品産業の発展が立ち遅れた。このため、ＴＤＤシステムにおいて、柔軟な帯域幅は、無線スペクトルリソースが不足であるという状況を有効に改善しない。
【０００４】
しかしながら、ロングタームエボリューション（ＬＴＥ：Ｌｏｎｇ  Ｔｉｍｅ  Ｅｖｏｌｕｔｉｏｎ）及び未来の４Ｇ無線通信システムにおいて、周波数分割複信（ＦＤＤ：Ｆｒｅｑｕｅｎｃｙ  Ｄｉｖｉｓｉｏｎ  Ｄｕｐｌｅｘ）モードが多く採用されている通信システムは、アップリンクとダウンリンクが対称の帯域幅に基づくシステムである。しかしながら、人々はネットワークを使用する際、アップロードよりダウンロードの使用が多い。つまり、アップリンクより、ダウンリンクの帯域幅に対する要求が高い。このため、アップリンクとダウンリンクは、共に多くのスペクトルリソースを採用すると、ある程度の資源を無駄にする。
【発明の概要】
【発明が解決しようとする課題】
【０００５】
これを鑑みて、従来の技術課題を解決するために、本発明の実施例は、主に非対称帯域幅の割り当て方法、装置、ｅＮＢ及びコンピュータ記憶媒体を提供することにある。
【課題を解決するための手段】
【０００６】
本発明の実施例における技術案は以下のように実現される。
【０００７】
本発明の実施例は、非対称帯域幅の割り当て方法を提供し、該当割り当て方法は、
進化型基地局（ｅＮＢ）は、アップリンク（ＵＬ）仮想帯域幅の範囲を確定し、ＵＬ実際帯域幅の範囲と前記ＵＬ仮想帯域幅の範囲との差に応じて、対応するアップリンク物理リソースを構成することを含む。
【０００８】
本発明の実施例はまた、非対称帯域幅の割り当て装置を提供し、該当割り当て装置は、
アップリンク（ＵＬ）仮想帯域幅の範囲を確定するように構成されるパラメータ確定モジュールと、
ＵＬ実際帯域幅の範囲と前記ＵＬ仮想帯域幅の範囲との差に応じて、対応するアップリンク物理リソースを構成するように構成される構成モジュールと備える。
【０００９】
本発明の実施例はまた、進化型基地局（ｅＮＢ）を提供し、該当ｅＮＢは前記非対称帯域幅の割り当て装置を含む。
【００１０】
本発明の実施例はまた、コンピュータ記憶媒体を提供し、該当コンピュータ記憶媒体は、前記非対称帯域幅の割り当て方法を実行するためのコンピュータプログラムを記憶している。
【００１１】
本発明の実施例は、非対称帯域幅の割り当て方法、装置、ｅＮＢ及びコンピュータ記憶媒体を提供し、アップリンク（ＵＬ：Ｕｐ  Ｌｉｎｋ）仮想帯域幅の範囲を確定し、ＵＬ実際帯域幅の範囲と前記ＵＬ仮想帯域幅の範囲との差に応じて、対応するアップリンク物理リソースを構成する。このように、ＦＤＤプロトコルフレームを変更しない上で、アップリンクとダウンリンクの帯域幅を柔軟に構成することができ、無線通信システムにおけるスペクトルリソースの利用効率を大きく高めることができる。
【図面の簡単な説明】
【００１２】
【図１】本発明の実施例に係る非対称帯域幅の割り当て方法のフローチャートである。
【図２】本発明の実施例に係る非対称帯域幅の割り当て装置の構成を示す図である。
【図３】本発明の実施例に係る非対称帯域幅の割り当てｅＮＢの構成を示す図である。
【図４】本発明の第一実施例に係るＵＬ周波数スペクトルが連続する場合の仮想帯域幅と実際帯域幅を示す図である。
【図５】本発明の実施例に係る非対称アップリンクとダウンリンク帯域幅の具体的な割り当てステップを示す図である。
【図６】本発明の第二実施例に係るＵＬ周波数スペクトルが非連続する場合の仮想帯域幅と実際帯域幅を示す図である。
【図７】本発明の第三実施例に係るＵＬ仮想帯域幅の範囲とＵＬ実際帯域幅の範囲が直接に指定される場合の非対称帯域幅の割り当て方法のフローチャートである。
【発明を実施するための形態】
【００１３】
本発明の実施例において、ｅＮＢは、ＵＬ仮想帯域幅の範囲を確定し、ＵＬ実際帯域幅の範囲と前記ＵＬ仮想帯域幅の範囲との差に応じて、対応するアップリンク物理リソースを構成する。
【００１４】
以下、図面及び具体的な実施例に基づいて、本発明を詳しく説明する。
【００１５】
本発明の実施例は非対称帯域幅の割り当て方法を提供する。図１に示すように、該当割り当て方法は以下のステップを含む。
【００１６】
ステップ１０１：ｅＮＢは、アップリンク（ＵＬ）仮想帯域幅の範囲を確定する。
【００１７】
具体的には、指定されるＵＬ実際帯域幅、ＵＬ実際帯域のスタートストップ位置及びＤＬ帯域幅に応じて、前記ＵＬ仮想帯域幅の範囲を確定する。
【００１８】
ここで、前記ｅＮＢは、前記指定されるＵＬ実際帯域幅とＵＬ実際帯域のスタートストップ位置に応じて、ＵＬ帯域幅の中心キャリア周波数を確定する。
【００１９】
前記ｅＮＢは、さらに、指定されるダウンリンク（ＤＬ：Ｄｏｗｎ  Ｌｉｎｋ）帯域幅と前記ＵＬ帯域幅の中心キャリア周波数に応じて、前記ＵＬ仮想帯域幅の範囲を確定する。
【００２０】
ここで、前記ＵＬ帯域幅の中心キャリア周波数は、周波数帯の中間の周波数である。
【００２１】
前記ＵＬ仮想帯域幅の範囲について、仮想帯域幅の範囲の上限値は、中心キャリア周波数にＤＬ帯域幅の半分を加算した値であり、下限値は、中心キャリア周波数からＤＬ帯域幅の半分を減算した値である（中心キャリア周波数−ＤＬ帯域幅／２〜中心キャリア周波数＋ＤＬ帯域幅／２）。
【００２２】
このステップは、さらに、ＵＬ仮想帯域幅の範囲が直接に指定されるとともにＵＬ実際帯域幅の範囲も直接に指定される場合、ステップ１０２を直接に実行することを含む。
【００２３】
ステップ１０２：ＵＬ実際帯域幅の範囲とＵＬ仮想帯域幅の範囲との差に応じて、対応するアップリンク物理リソースを構成する。
【００２４】
具体的には、ＵＬ実際帯域幅の範囲とＵＬ仮想帯域幅の範囲との差に応じて、物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）、物理ランダムアクセスチャネル（ＰＲＡＣＨ、Ｐｈｙｓｉｃａｌ  Ｒａｎｄｏｍ  Ａｃｃｅｓｓ  Ｃｈａｎｎｅｌ）及びサウンディング基準信号（ＳＲＳ、Ｓｏｕｎｄ  Ｒｅｆｅｒｅｎｃｅ  Ｓｉｇｎａｌ）を構成する。
【００２５】
ここで、前記ＰＵＣＣＨを構成することは、ＵＬ仮想帯域幅の範囲内にある且つＵＬ実際帯域幅の範囲内にないスペクトルリソースをシステムＰＵＣＣＨリソースの一部とし、該当スペクトルリソースに対応するすべてのＲＢインデックスを仮想ユーザー装置（ＵＥ：Ｕｓｅｒ  Ｅｑｕｉｐｍｅｎｔ）に割り当て、実際のユーザーが該当リソースを利用しないことを確保することである。
【００２６】
前記ＰＲＡＣＨとＳＲＳを構成することは、ＳＲＳ、ＰＲＡＣＨにより占められるＲＢがＵＬ実際帯域幅の範囲を超えないように構成することである。
【００２７】
上記割り当て方法を使用して、ＦＤＤにおけるＵＬ帯域幅がＤＬ帯域幅と異なるようにし、アップリンクとダウンリンクの非対称帯域幅の割り当てを実現することができる。
【００２８】
本発明の実施例は、上記割り当て方法を実現するために、また、図２に示すような非対称帯域幅の割り当て装置を提供する。該当割り当て装置は、ｅＮＢにおける屋内ベースバンド処理ユニット（ＢＢＵ）シングルボードにより実現され、パラメータ確定モジュール２１と構成モジュール２２を含む。
【００２９】
前記パラメータ確定モジュール２１は、ＵＬ仮想帯域幅の範囲を確定するように構成される。
【００３０】
前記構成モジュール２２は、ＵＬ実際帯域幅の範囲と前記ＵＬ仮想帯域幅の範囲との差に応じて、対応するアップリンク物理リソースを構成するように構成される。
【００３１】
ここで、前記対応するアップリンク物理リソースは、ＰＵＣＣＨ、ＰＲＡＣＨ、ＳＲＳである。
【００３２】
前記パラメータ確定モジュール２１は、具体的には、直接に指定されるＵＬ仮想帯域幅の範囲に応じて、又は指定されるＵＬ実際帯域幅とＵＬ実際帯域のスタートストップ位置に応じて、ＵＬ仮想帯域幅の範囲を確定するように構成される。ここで、ＵＬ実際帯域幅、ＵＬ実際帯域のスタートストップ位置及びＤＬ帯域幅が指定される場合、前記パラメータ確定モジュール２１は、さらに、初期化モジュール３１、中心キャリア周波数確定モジュール３２及びＵＬ仮想帯域幅確定モジュール３３を含む。
【００３３】
前記初期化モジュール３１は、具体的には、ＤＬ帯域幅、ＵＬ実際帯域幅とＵＬ実際帯域のスタートストップ位置などを初期化するように構成される。
【００３４】
前記中心キャリア周波数確定モジュール３２は、具体的には、前記ＵＬ実際帯域のスタートストップ位置に応じて、ＵＬ帯域幅の中心キャリア周波数を確定するように構成される。
【００３５】
前記ＵＬ仮想帯域幅確定モジュール３３は、具体的には、前記ＤＬ帯域幅と前記ＵＬ帯域幅の中心キャリア周波数に応じて、ＵＬ仮想帯域幅の範囲を確定するように構成される。
【００３６】
例えば、前記初期化モジュール３１は、ＤＬ帯域幅を１０ＭＨｚに、ＵＬ実際帯域幅を６ＭＨｚに、ＵＬ帯域のスタートストップ位置をそれぞれ２０００ＭＨｚと２００６ＭＨｚに初期化することができる。そして、ＵＬ中心キャリア周波数確定モジュール３２は、ＵＬ帯域幅の中心キャリア周波数が２００３ＭＨｚであることを確定することができる。ＵＬ仮想帯域幅確定モジュールは、ＵＬ仮想帯域幅の範囲が１９９８ＭＨｚ〜２００８ＭＨｚであることを確定することができる。
【００３７】
前記構成モジュール２２は、具体的には、さらに、ＰＵＣＣＨ設定モジュール３４、ＰＲＡＣＨリソース制限モジュール３５及びＳＲＳリソース制限モジュール３６を含む。
【００３８】
前記ＰＵＣＣＨ設定モジュール３４は、具体的には、仮想帯域幅の範囲内にある且つ実際帯域幅の範囲内にないスペクトルリソースをシステムＰＵＣＣＨリソースの一部とし、該当部分のスペクトルリソースに対応するすべてのＲＢインデックスを仮想ＵＥに割り当て、実際のユーザーが該当リソースを利用しないことを確保するように構成される。
【００３９】
前記ＰＲＡＣＨリソース制限モジュール３５は、具体的には、ＰＲＡＣＨに割り当てるリソースを制限し、ＰＲＡＣＨにより占められるＲＢがＵＬ実際帯域幅の範囲を超えないように構成される。
【００４０】
前記ＳＲＳリソース制限モジュール３６は、具体的には、ＳＲＳに割り当てるリソースを制限し、ＳＲＳにより占められるＲＢがＵＬ実際帯域幅の範囲を超えないように構成される。
【００４１】
例えば、上記の例において、ＵＬ仮想帯域幅の範囲は１９９８ＭＨｚ〜２００８ＭＨｚであり、ＵＬ実際帯域幅の範囲は２０００ＭＨｚ〜２００６ＭＨｚである。これらの間の差は、１９９８ＭＨｚ〜２０００ＭＨｚと２００６ＭＨｚ〜２００８ＭＨｚという二つ部分のスペクトルリソースである。前記ＰＵＣＣＨ設定モジュール３４は、仮想帯域幅の範囲内にある且つ実際帯域幅の範囲内にない上記二つ部分のスペクトルリソースをシステムＰＵＣＣＨリソースの一部とし、該当部分のスペクトルリソースに対応するすべてのＲＢインデックスを仮想ＵＥに割り当て、実際のユーザーが該当リソースを利用しないことを確保する。前記ＰＲＡＣＨリソース制限モジュール３５と前記ＳＲＳリソース制限モジュール３６は、ＰＲＡＣＨとＳＲＳにより占められるＲＢがＵＬ実際帯域幅の範囲２０００ＭＨｚ〜２００６ＭＨｚを超えないように制限する。このように、アップリンク帯域幅が６ＭＨｚであり、ダウンリンク帯域幅が１０ＭＨである非対称帯域幅を柔軟に割り当てる。
【００４２】
上記の割り当て装置において、前記初期化モジュール３１は前記ＢＢＵシングルボードにおける主制御ボードにより実現されることができる。
【００４３】
前記中心キャリア周波数確定モジュール３２とＵＬ仮想帯域幅確定モジュール３３は、いずれも前記ＢＢＵシングルボードにおけるベースバンドボードにより実現されることができる。
【００４４】
前記構成モジュール２２は、前記ＢＢＵシングルボードにおけるベースバンドボードにより実現されることができる。
【００４５】
本発明はまた、ｅＮＢを提供する。図３に示すように、該当ｅＮＢは、上記非対称帯域幅の割り当て装置を含む。即ち、前記ｅＮＢは、前記割り当て装置におけるパラメータ確定モジュール２１と構成モジュール２２を含む。
【００４６】
以下、具体的な実施例に基づいて、本発明の方法のプロセスと原理を詳しく説明する。
【００４７】
第一の実施例
図４は本発明の第一実施例に係るＵＬ周波数スペクトルが連続する場合の仮想帯域幅と実際帯域幅を示す図である。
【００４８】
図４に示すＵＬ周波数スペクトルが連続する場合、本発明の実施例により提供されるアップリンクとダウンリンク非対称帯域幅の割り当ての具体的な実施ステップは、図５に示すように、以下のステップを含む。
【００４９】
ステップ５０１：設定されたＤＬ帯域幅、ＵＬ実際帯域幅及びスタートストップ位置に応じて、ＵＬ帯域幅の中心キャリア周波数を確定する。
【００５０】
具体的には、ＤＬ帯域幅をＢＷ、ＵＬ実際帯域幅をｂｗ、ＵＬ実際帯域のスタート位置をＸ２ｕｌに設定する場合、ＵＬ実際帯域幅の範囲はＸ２ｕｌ〜Ｘ２ｕｌ＋ｂｗである。
【００５１】
ここで、ＵＬ実際帯域幅ｂｗと帯域のスタート位置Ｘ２ｕｌは、実際の必要に応じて設定されることができ、且つ条件すなわち０＜ｂｗ＝＜ＢＷ、単位Ｈｚを満たす。
【００５２】
ＵＬ帯域幅の中心キャリア周波数をＵＬｆｃとする場合、
ＵＬｆｃ＝Ｘ２ｕｌ＋ｂｗ／２である。
【００５３】
ステップ５０２：前記ＵＬ帯域幅の中心キャリア周波数とＤＬ帯域幅に応じて、ＵＬ仮想帯域幅の範囲を確定する。
【００５４】
具体的には、ステップ５０１で確定されたＵＬ帯域幅の中心キャリア周波数をＵＬｆｃ、ＤＬ帯域幅をＢＷとする場合、ＵＬ仮想帯域幅の範囲はＵＬｆｃ−ＢＷ／２〜ＵＬｆｃ＋ＢＷ／２であり、対応するＲＢインデックスは０〜Ｎ−１である。ここで、Ｎの大きさがＬＴＥプロトコルにおけるシステム帯域幅の値により決定され、例えば、２０Ｍ、１５Ｍ、１０Ｍ、５Ｍ、１．４Ｍ帯域幅がそれぞれ対応するＮ値は、１００、７５、５０、２５、６である。
【００５５】
ステップ５０３：ＵＬ実際帯域幅の範囲とＵＬ仮想帯域幅の範囲との差に応じて、ＰＵＣＣＨ、ＰＲＡＣＨ、ＳＲＳを構成する。
【００５６】
具体的には、ＵＬ実際帯域幅の範囲はＵＬｆｃ−ｂｗ／２〜ＵＬｆｃ＋ｂｗ／２であり、対応するＲＢインデックスはｓ〜Ｎ−ｓ−１である。
【００５７】
ステップ５０２で確定されたＵＬ仮想帯域幅の範囲はＵＬｆｃ−ＢＷ／２〜ＵＬｆｃ＋ＢＷ／２であり、対応するＲＢインデックスは０〜Ｎ−１である。
【００５８】
これに対して、図４に示すように、前記ＵＬ仮想帯域幅の範囲に対応するＲＢは、前記ＵＬ実際帯域幅の範囲に対応するＲＢより２ｓ個多い。ここで、ｓを整数とし、ｆｌｏｏｒ（（Ｎ−１）／２）＞＝ｓ＞＝０を満たす。ここで、ｆｌｏｏｒ（＊）が切り捨て（ｒｏｕｎｄ  ｄｏｗｎ）を表す。例えば、仮想帯域幅が５Ｍ、１０Ｍ、２０Ｍの場合、それぞれに対応するＮの値は２５、５０、１００であり、対応するｓの最大値は１２、２４、４９である。
【００５９】
上記ＵＬ実際帯域幅の範囲とＵＬ仮想帯域幅の範囲との差に応じて、ＰＵＣＨＨ、ＰＲＡＣＨ及びＳＲＳを構成する。具体的には、
前記ＰＵＣＣＨを構成することは、前記ＵＬ仮想帯域幅の範囲内にある且つＵＬ実際帯域幅の範囲内にないスペクトルリソースをシステムＰＵＣＣＨリソースの一部とし、該当部分スペクトルリソースに対応するすべてのＲＢインデックスを仮想ＵＥに割り当て、実際のユーザーが該当部分のリソースを利用しないことを確保することである。
【００６０】
つまり、ＵＬ仮想帯域幅の範囲内にあるｓ個の高周波ＲＢとｓ個の低周波ＲＢをシステムＰＵＣＣＨリソースの一部とし、こちらの２ｓ個のＲＢインデックス（図４に示すように、図における斜線充填部分は、仮想帯域幅内で仮想ＵＥに割り当てられたリソースであり、ｓ個の高周波ＲＢはＲＢ  Ｎ−１〜ＲＢ  Ｎ−ｓであり、ｓ個の低周波ＲＢはＲＢ０〜ＲＢｓ−１であり、残りの空白部分は実際帯域幅である）をすべて仮想ＵＥに割り当て、システムにおける実際のＵＥが該当リソースを利用しないことを確保する。
【００６１】
前記ＳＲＳ、ＰＲＡＣＨを構成することは、ＳＲＳ、ＰＲＡＣＨにより占められるＲＢがＵＬ実際帯域幅の範囲を超えないように構成することである。つまり、前記ＳＲＳ、ＰＲＡＣＨによりそれぞれ占められるＲＢは、ただＵＬｆｃ−ｂｗ／２〜ＵＬｆｃ＋ｂｗ／２の範囲内にある。
【００６２】
第二の実施例
図６は本発明の第二実施例に係るＵＬ周波数スペクトルが非連続する場合の仮想帯域幅と実際帯域幅を示す図である。
【００６３】
図６に示すＵＬ周波数スペクトルが非連続する場合、本発明の第二実施例により提供されるアップリンクとダウンリンク非対称帯域幅の割り当ての具体的な実施ステップは第一の実施例と同じである。図５に示すように、以下のステップを含む。
【００６４】
ステップ５０１：設定されたＤＬ帯域幅、ＵＬ実際帯域幅及びスタートストップ位置に応じて、ＵＬ帯域幅の中心キャリア周波数を確定する。
【００６５】
具体的には、ＤＬ帯域幅をＢＷ、ＵＬ実際帯域幅をｂｗ＝ｂｗ１，ｂｗ２，…，ｂｗｉ、ＵＬ実際帯域のスタート位置をＸ２ｕｌ１、Ｘ２ｕｌ２、…、Ｘ２ｕｌｉに設定する。ここで、実際の要求に応じて、ｂｗ、Ｘ２ｕｌ１、Ｘ２ｕｌ２、…、Ｘ２ｕｌｉを設定することができ、且つ条件すなわち０＜ｂｗ＝＜ＢＷ、Ｘ２ｕｌ１＜＝Ｘ２ｕｌ１＋ｂｗ１＜＝Ｘ２ｕｌ２＜＝Ｘ２ｕｌ２＋ｂｗ２＜＝…＜＝Ｘ２ｕｌｉ＜＝Ｘ２ｕｌｉ＋ｂｗｉ、単位Ｈｚを満たす。
【００６６】
ＵＬ帯域幅の中心キャリア周波数をＵＬｆｃとする場合、
ＵＬｆｃ＝（Ｘ２ｕｌ１＋Ｘ２ｕｌｉ＋ｂｗｉ）／２である。
【００６７】
ステップ５０２：前記ＵＬ帯域幅の中心キャリア周波数とＤＬ帯域幅に応じて、ＵＬ仮想帯域幅の範囲を確定する。
【００６８】
具体的には、ステップ５０１で確定されたＵＬ帯域幅の中心キャリア周波数をＵＬｆｃ、ＤＬ帯域幅をＢＷとする場合、ＵＬ仮想帯域幅の範囲はＵＬｆｃ−ＢＷ／２〜ＵＬｆｃ＋ＢＷ／２であり、対応するＲＢインデックスは０〜Ｎ−１である。第一の実施例と同じであり、ここで、Ｎの大きさがＬＴＥプロトコルにおけるシステム帯域幅の値により決定され、例えば、２０Ｍ、１５Ｍ、１０Ｍ、５Ｍ、１．４Ｍ帯域幅がそれぞれ対応するＮ値は、１００、７５、５０、２５、６である。
【００６９】
ステップ５０３：ＵＬ実際帯域幅の範囲とＵＬ仮想帯域幅の範囲との差に応じて、ＰＵＣＣＨ、ＰＲＡＣＨ、ＳＲＳを構成する。
【００７０】
具体的には、ＵＬ実際帯域幅の範囲はＸ２ｕｌ１〜Ｘ２ｕｌ１＋ｂｗ１、Ｘ２ｕｌ２〜Ｘ２ｕｌ２＋ｂｗ２、…、Ｘ２ｕｌｉ〜Ｘ２ｕｌｉ＋ｂｗｉ、対応するＲＢインデックスはｂｗ１ＲＢ１〜ｂｗ１ＲＢｓ１、ｂｗ２ＲＢ１〜ｂｗ２ＲＢｓ２、…、ｂｗｉＲＢ１〜ｂｗｉＲＢｓｉであり、対応するＲＢ数はｓ１、ｓ２、…，ｓｉである。ここで、ｓ１＋ｓ２＋…＋ｓｉ＜＝Ｎである。
【００７１】
ステップ５０２で確定されたＵＬ仮想帯域幅の範囲は、ＵＬｆｃ−ＢＷ／２〜ＵＬｆｃ＋ＢＷ／２である。
【００７２】
前記ＵＬ実際帯域幅の範囲と前記ＵＬ仮想帯域幅の範囲の間の差に応じて、ＰＵＣＨＨ、ＰＲＡＣＨ及びＳＲＳを構成する。具体的には、
前記ＰＵＣＣＨを構成することは、前記ＵＬ仮想帯域幅の範囲内にある且つＵＬ実際帯域幅の範囲内にないスペクトルリソースをシステムＰＵＣＣＨリソースの一部とし、該当部分のスペクトルリソースに対応するすべてのＲＢインデックスを仮想ＵＥに割り当て、実際のユーザーが該当リソースを利用しないことを確保することである。
【００７３】
つまり、ＵＬ仮想帯域幅の範囲内の対応するすべてＲＢのうちに、ｂｗ１ＲＢ１〜ｂｗ１ＲＢｓ１、ｂｗ２ＲＢ１〜ｂｗ２ＲＢｓ２、…、ｂｗｉＲＢ１〜ｂｗｉＲＢｓｉを除くＲＢをシステムＰＵＣＣＨリソースの一部とし、Ｎ−（ｓ１＋ｓ２＋…＋ｓｉ）個のＲＢインデックス（図６に示すように、図における斜線充填部分は、仮想帯域幅で仮想ＵＥに割り当てられたリソースであり、斜線充填部分は、それぞれＲＢインデックスであるｂｗ１ＲＢ１〜ｂｗ１ＲＢｓ１、ｂｗ２ＲＢ１〜ｂｗ２ＲＢｓ２、…、ｂｗｉＲＢ１〜ｂｗｉＲＢｓｉに対応するｓ１〜ｓｉ個のＲＢを示し、空白部分はＵＬ実際帯域幅である）をすべて仮想ＵＥに割り当て、システムにおけるＵＥが該当リソースを利用しないことを確保する。
【００７４】
前記ＳＲＳ、ＰＲＡＣＨを構成することは、ＳＲＳ、ＰＲＡＣＨにより占められるＲＢがＵＬ実際帯域幅の範囲を超えないように構成することである。つまり、前記ＳＲＳ、ＰＲＡＣＨによりそれぞれに占められるＲＢは、ただＸ２ｕｌ１〜Ｘ２ｕｌ１＋ｂｗ１、Ｘ２ｕｌ２〜Ｘ２ｕｌ２＋ｂｗ２、…、Ｘ２ｕｌｉ〜Ｘ２ｕｌｉ＋ｂｗｉの範囲内にある。
【００７５】
第三の実施例
図７は本発明の第三実施例に係るＵＬ仮想帯域幅の範囲とＵＬ実際帯域幅の範囲が直接に指定される場合の非対称帯域幅の割り当て方法のフローチャートであり、以下のステップを含む。
【００７６】
ステップ７０１：ＵＬ仮想帯域幅の範囲とＵＬ実際帯域幅の範囲が指定される。
【００７７】
具体的には、例えば、ＵＬ仮想帯域幅の範囲を２０００ＭＨｚ〜２０１０ＭＨｚ、ＵＬ実際帯域幅の範囲を２００２ＭＨｚ〜２００８ＭＨｚに指定する。
【００７８】
ステップ７０２：ＵＬ実際帯域幅の範囲とＵＬ仮想帯域幅の範囲との差に応じて、ＰＵＣＣＨ、ＰＲＡＣＨ、ＳＲＳを構成する。
【００７９】
前記ＰＵＣＣＨを構成することは、具体的には、前記ＵＬ仮想帯域幅の範囲内にある且つＵＬ実際帯域幅の範囲内にないスペクトルリソースをシステムＰＵＣＣＨリソースの一部とし、該当部分スペクトルリソースに対応するすべてのＲＢインデックスを仮想ＵＥに割り当て、実際のユーザーが該当部分のリソースを利用しないことを確保するとこである。
【００８０】
前記ＳＲＳ、ＰＲＡＣＨを構成することは、ＳＲＳ、ＰＲＡＣＨにより占められるＲＢがＵＬ実際帯域幅の範囲を超えないように構成することである。
【００８１】
例えば、上記の例において、ＵＬ仮想帯域幅の範囲は指定された２０００ＭＨｚ〜２０１０ＭＨｚであり、ＵＬ実際帯域幅の範囲は２００２ＭＨｚ〜２００８ＭＨｚである。ここで、これら間の差は２０００ＭＨｚ〜２００２ＭＨｚと２００８ＭＨｚ〜２０１０ＭＨｚである。このため、この差の部分のスペクトルリソースをシステムＰＵＣＣＨリソースの一部とし、該当部分スペクトルリソースに対応するすべてのＲＢインデックスを仮想ＵＥに割り当て、実際のユーザーが該当部分のリソースを利用しないことを確保する。前記ＰＲＡＣＨ、ＳＲＳにより占められるＲＢがＵＬ実際帯域幅２００２ＭＨｚ〜２００８ＭＨｚの範囲を超えてはならない。
【００８２】
本発明の実施例に係る非対称帯域幅の割り当て方法は、ソフトウェア機能モジュールの形態により実現され、かつ別の製品として発売や使用する場合、一つのコンピュータ読取可能記憶媒体に記憶されることができる。当業者であれば、このような理解に基づいて、本発明の実施例が方法、装置又はプログラムの製品を提供することができることを理解するだろう。このため、本願は、ハードウェア実施例、ソフトウェア実施例、又はハードウェアとソフトウェアの組合せ実施例を採用することができる。そして、本願は、コンピュータ実行可能プログラムコードを含む一つ又は複数のコンピュータ用記録媒体により実施されるプログラム製品の形態を使用することができる。前記の記録媒体は、フラッシュメモリー、リムーバブルハードディスク、読み取り専用メモリ（ＲＯＭ：Ｒｅａｄ  Ｏｎｌｙ  Ｍｅｍｏｒｙ）、フレキシブルディスク、ＣＤ−ＲＯＭ又は光ディスクなどを含むが、これらに限定されない。
【００８３】
これらのコンピュータプログラム命令は、コンピュータ又はその他プログラマブルデータ処理設備を特定モードで動作させるコンピュータ読み可能なメモリに記憶されることができる。該当コンピュータ読み可能なメモリに記憶される命令は、命令装置が含まれて要る製造品を生成する。該当命令装置は、本発明の方法フローチャートの一つのプロセス又は複数なプロセス及び／又はブロック図の一つのブロック又は複数なブロックで指定された機能を実現する。
【００８４】
それに応じて、本発明の実施例はまたコンピュータ記憶媒体を提供する。該当コンピュータ記憶媒体にはコンピュータプログラムが記憶され、該当コンピュータプログラムは、本発明の実施例における非対称帯域幅の割り当て方法を実行することに用いられる。
【００８５】
以上は、本発明の最適的な実施例に過ぎなく、本発明を制限せず、本分野の当業者に対して、本発明が各種類の変更と変化がある。本発明の主旨精神と原則内における、いかなる改修、同等入れ替わり、改良等も、本発明の保護範囲内に含まれるべきである。
【産業上の利用可能性】
【００８６】
上記の実施例から分かるように、本発明の実施例により提供される非対称帯域幅の割り当て方法および割り当て装置は、従来のＦＤＤプロトコルフレームにおいて、従来のアップリンクとダウンリンクの対称帯域幅を改良し、アップリンクとダウンリンク帯域幅を柔軟に割り当て、無線通信システムにおける有限なスペクトルリソースの使用効率を大幅に向上させた。
【図１】
0006324509.tif 000002
【図２】
0006324509.tif 000003
【図３】
0006324509.tif 000004
【図４】
0006324509.tif 000005
【図５】
0006324509.tif 000006
【図６】
0006324509.tif 000007
【図７】
0006324509.tif 000008